(57)【特許請求の範囲】
【請求項１】
枠内に嵌め込まれた三枚の鏡と、これらが連結部材により連続された折り畳み可能な三面鏡であって、当該三面鏡を縦に使用し、中央の鏡に瞳が見え、上側の鏡に映った瞼が下側の鏡より見え、更に、下側の鏡に写った瞼が上側の鏡より見える位置に三枚の鏡を固定するように、前記枠体に所定の角度以上開かない接触面を形成した係止手段を備え、かつ、連結部材が、中央の鏡と一側の鏡とが接触して折り畳まれる背丈を有する連結部材と、他側の鏡が一側の鏡の裏側に重なって折り畳まれるだけの背丈を有する連結部材と、で構成されることを特徴とする三面鏡。
【発明の詳細な説明】
【０００１】
【発明の属する技術分野】
本発明は主としてアイメイク用三面鏡に関するものである。
【０００２】
【従来の技術】
女性用の化粧用具に１つとして小型の鏡が携帯されており、これは三面鏡として開かれる構造のものが多い、これは左右の鏡と中央の鏡とよりなり、連結部材をもって一連に連結されるものである。図８はこの一般の三面鏡の例を示すものであり、左右の鏡Ｍ１ 、Ｍ２ 及び中央の鏡Ｍ０ は夫々が樹脂製の枠１１、１２、１３に嵌め込まれてあり、夫々の枠１１、１２、１３が連結部材１４、１５をもって連結されたものである。勿論、携帯時は左右の枠１２、１３が中央の枠１１に対して折り畳まれるが、左右の鏡Ｍ１ 、Ｍ２ は中央の鏡Ｍ０ に対してほぼ半分の大きさとなっており、三面鏡として拡大した際にはそれほど大きな鏡が形成できない。
【０００３】
又、アイメイクの際には、メイクする瞼等が上下方向より一度に見ることが望ましいが、これは一般に不可能であり、上下側から夫々別の鏡を用いて見ることが行われており、極めて不便であった。即ち、三面鏡を横方向に拡げることによって幅広く写すことが可能とはなったが、アイメイクの際にはかかる三面鏡を有効に利用してアイメイクすることはなく、これとは別の鏡を利用する必要があり、女性の携帯品としては十分なものとは言えなかった。
【０００４】
【発明が解決しようとする課題】
本発明は以上のような従来の技術に鑑みてなされたものであり、アイメイク用として特に好ましい三面鏡を提供するものである。
【０００５】
【課題を解決するための手段】
本発明の要旨は、枠内に嵌め込まれた三枚の鏡と、これらが連結部材により連続された折り畳み可能な三面鏡であって、当該三面鏡を縦に使用し、中央の鏡に瞳が見え、上側の鏡に映った瞼が下側の鏡より見え、更に、下側の鏡に写った瞼が上側の鏡より見える位置に三枚の鏡を固定するように、前記枠体に所定の角度以上開かない接触面を形成した係止手段を備え、かつ、連結部材が、中央の鏡と一側の鏡とが接触して折り畳まれる背丈を有する連結部材と、他側の鏡が一側の鏡の裏側に重なって折り畳まれるだけの背丈を有する連結部材と、で構成されることを特徴とするものである。
【０００６】
【発明の実施の形態】
本発明の三面鏡は鏡を拡げた場合には中央の鏡に対して左右の鏡を所定の位置に係止し、これ以上開閉不可能としたものであり、この係止角度を所定の角度としたことによって瞼の上側及び下側を同時に見ることが可能となったもので、何の調整を要さずに使用可能となったものであり、アイメイク上極めて優れた三面鏡となったものである。しかも、連結部材の背丈を特定し、三枚の鏡が折り畳めるようにしたものであり、持ち運びに極めて適した構造としたものである。
【０００７】
本発明の基本的な構造としては、その１は三面鏡を縦に用い、中央の鏡は瞳を見る機能をなし、上下の鏡をもって瞼等を上下より見るものである。即ち、上側に写った瞼の上側は下側の鏡に虚像を作り、これを見るものであり、一方、下側の鏡に写った瞼の下側は上側の鏡に虚像を作り、これを瞼にて見るものである。この場合には、中央の鏡は瞼の上下を見るための機能には関与していない。勿論、人には明視の距離というものがあり、ほぼ２５〜３０ｃｍである。このため、瞳の位置は中央の鏡から明視の距離の半分程度にすることが好ましく、したがって、上下の鏡の角度は中央の鏡に対して１２０±８度程度にて係止されるべきである。
【０００８】
その２としては、上側の鏡に写った瞼の上側は一度中央の鏡にて虚像を作りこれを更に下側の鏡に写して視るものであり、一方、下側の鏡に写った瞼の下側は中央の鏡にて虚像を作り更にこれを上側の鏡に写して視るものである。この場合には、中央の鏡は瞳を写すだけでなく、瞼の上下を見るために重要な機能を果たしている。この場合、明視の距離を勘案すると、上下の鏡の角度は中央の鏡に対して１１０±８度程度にて係止されるべきである。
【０００９】
ここで、本発明を更に具体的に示せば、三枚の鏡の夫々が枠体に嵌め込まれ、連結部材は枠体に形成されているのが通例であって、一般には、枠体と連結部材が樹脂製である。
【００１０】
そして、各鏡を所定の角度に係止する係止手段は、隣り合う枠体に所定の角度以上開かない接触子を形成した構造である。
【００１１】
三面鏡としては、連結部材が、中央の鏡と一側の鏡とが接触して折り畳まれる背丈を有する連結部材と、他側の鏡が一側の鏡の裏側に重なって折り畳まれるだけの背丈を有する連結部材と、で構成されるのがコンパクトとなり好ましい。
【００１２】
【実施例】
以下、実施例をもって本発明を更に詳細に説明する。
図１〜図３は段落・０００８にて説明する三面鏡の例であり、図１はこの三面鏡を閉じた際の正面図及びその右側面図、図２は上面図及び下面図、図３はアイメイクの際の三面鏡の側面図である。図中、符号Ｍ０ 、Ｍ１ 、Ｍ２ は横６ｃｍ、縦７ｃｍの鏡であって、Ｍ０ は三面鏡の中央の鏡、Ｍ１ は上側の鏡、Ｍ２ は下側の鏡を示す。１０ 、１１ 、１２ は例えばＡＢＳ樹脂製の枠体であって、これには夫々の鏡Ｍ０ 、Ｍ１ 、Ｍ２ が嵌め込まれている。そして、図示するように、Ｍ０ 、Ｍ１ 、Ｍ２ が所定の角度をもって維持され、これよりも開かないアイメイク専用の三面鏡である。具体的に言えば、Ｍ１ は角度１１０度、Ｍ２ は角度１０５度をもって開かれ維持されるものである。
【００１３】
図４〜図６は夫々単独の図であり、図４はＭ０ （枠体１０ ）の正面図及びその右側面図、図５はＭ１ （枠体１１ ）の正面図及びその右側面図、図６はＭ２ （枠体１２ ）の正面図及びその右側面図である。
【００１４】
以下、この三面鏡を係止手段を中心として説明する。Ｍ０ は枠体１０ に装着したものであり、枠体１０ の上下に係止手段として夫々一対の突起７１ 、７２ を構成している。そして、枠体１０ の上面１０１は鏡Ｍ０ 面に対して２０度後退した面とされている。
【００１５】
Ｍ１ は枠体１１ に装着されており、一対の突起８１ が形成されている。前記の突起７１ この突起８１ とは回転可能に軸支されたものであり、突起８１ の側面が枠体１１ の上面１０１に当接される構造となっている。このため、鏡Ｍ０ とＭ１ は１１０度に特定される。
【００１６】
一方、Ｍ２ は枠体１２ に装着され、枠体１２ の一部が突起７２ に嵌り合うように切り欠き部９２ が構成されている。そして、この突起７２ と切り欠き部９２ との間を回転可能に軸支するものである。そして、枠体１２ の切り欠き部９２ 間の面１２０を１５度後退させた面１２０としたものである。このため、鏡Ｍ２ を開いた際には枠体１０ の面と枠体１２ の面１２０とが当接する構造となっている。
【００１７】
従って、かかる三面鏡はＭ０ 、Ｍ１ 、Ｍ２ を開いた際には、Ｍ０ ーＭ１ 間の角度は１１０度、Ｍ０ ーＭ２ 間の角度は１０５度に特定されることになる。
【００１８】
尚、三面鏡は縦に開いて使用することとなるが、Ｍ０ とＭ１ は上側になるために、その角度を維持することが特に必要になることがある。このため、接触面に夫々突子を形成するのが良く、図７は突子１０ａ、１０ｂを形成した際の突起８１ の側面が枠体１０ の上面１０１に当接する部位の拡大断面図である。この図７にあって、枠体１０ の上面１０１に連なって突子１０ａが形成され、一方、突起８１ の側面には突子１０ｂが形成され、突子１０ｂが突子１０ａを乗り越えることによってＭ０ とＭ１ の角度が維持されることになる。
【００１９】
【発明の効果】
本発明の三面鏡にあっては、特定の角度に係止する手段を備えこれ以上開かない構造としたことによってアイメイクの際の瞼の上下を一度に写すことが可能であり、実用上極めて優れた三面鏡となった。
【図面の簡単な説明】
【図１】  図１は三面鏡の正面図及びその右側面図である。
【図２】  図２は図１の上面図及びその下面図である。
【図３】  図３は図１の三面鏡のアイメイクの際の側面図である。
【図４】  図４は図１のＭ０ （枠体１０ ）の正面図及びその右側面図である。
【図５】  図５は図１のＭ１ （枠体１１ ）の正面図及びその右側面図である。
【図６】  図６は図１のＭ２ （枠体１２ ）の正面図及びその右側面図である。
【図７】  図７は図６における主要部の部分拡大断面図である。
【図８】  図８は従来の三面鏡の例を示すものである。
【符号の説明】
Ｍ０ 、Ｍ１ 、Ｍ２ ‥鏡、
１０ 、１１ 、１２ ‥枠体、
１０１‥枠体１０ の上面、
１２１‥枠体１２ の切り欠き部の面、
７１ 、７２ ‥突起、
８１ 、８２ ‥突起、
１０ａ、１０ｂ‥突子。
【図１】
0003857125.tif 000002
【図２】
0003857125.tif 000003
【図３】
0003857125.tif 000004
【図４】
0003857125.tif 000005
【図５】
0003857125.tif 000006
【図６】
0003857125.tif 000007
【図７】
0003857125.tif 000008
【図８】
0003857125.tif 000009